(57)【特許請求の範囲】
【請求項１】
机の物置棚であって、
折り畳み可能な形式の机の使用において兼ね備える下向部位での物体収納において、前記机の下向部位に沿って可動形式の前記物置棚を結合するものが採用されており、前記物置棚は、少なくとも２つの固定枠と、複数本の懸吊ロッドと、少なくとも２つの連接体と、複数本の載置ロッド段とを含んで構成され、前記少なくとも２つの固定枠の下向き空間の両側には、前記複数本の懸吊ロッドの一端の装入を許容し、及び前記複数本の懸吊ロッドを対応部位に枢支状態にし、また前記複数本の懸吊ロッドの他端を前記少なくとも２つの連接体の両側の所定の部位に合わせて当接すると共に、前記複数本の懸吊ロッドの下向端を前記少なくとも２つの連接体の対応部位に枢支状態にし、前記少なくとも２つの連接体の対応側面に沿って等間隔または非等間隔に複数条の凸部が凸設されて、前記複数本の載置ロッド段の両端は、対応する当該連接体の前記複数条の凸部の案内を受けて位置規制を形成することを許容し、このように構成された前記物置棚は、前記机の底部の所定の範囲に合わせて位置規制を行い、前記机の水平架設状態または折り畳んだ状態に同期して連接体が水平となって物体収納が可能な状態、または、折り畳まれた状態となることにより、前記机は物体収納を許容する形態を兼ね備えることを容易にすることを特徴とする、机の物置棚。
【請求項２】
前記物置棚は、所定の部分に前記机の下向部位の所定の範囲での固定ロッドの収容のための凹部が凹設される前記少なくとも２つの固定枠を含み、及び螺着部品により前記少なくとも２つの固定枠が前記机の対応部位の固定ロッドに規制されることを特徴とする、請求項１に記載の机の物置棚。
【請求項３】
前記物置棚に含む前記複数本の懸吊ロッドとそれと相隣接する前記少なくとも２つの固定枠との間の回転枢支は、ロッド段により前記少なくとも２つの固定枠と前記複数本の懸吊ロッドとの対応部位での孔を貫通し、突出延在する前記少なくとも２つの固定枠の他端のロッド段に規制部を留め付けることと合わせると、前記複数本の懸吊ロッドが前記少なくとも２つの固定枠の一端に枢支されることを特徴とする、請求項１に記載の机の物置棚。
【請求項４】
前記物置棚に含む前記複数本の懸吊ロッドとそれと相隣接する前記少なくとも２つの連接体との間の回転枢支は、螺着部品がパッキンの間の孔に案内されたことにより、前記パッキンが前記複数本の懸吊ロッドの対応部位の孔に適宜に密着装入され、その間に案内された螺着部品の一端が前記少なくとも２つの連接体の対応のねじ孔に螺入されると、前記複数本の懸吊ロッドと前記少なくとも２つの連接体とが枢支された形態を呈することを特徴とする、請求項１に記載の机の物置棚。
【請求項５】
前記物置棚に含む前記少なくとも２つの連接体の対応側面での前記複数条の凸部において、前記複数本の載置ロッド段に合わせて案内する周辺には、複数の凹凸縁面が設けられることにより、前記複数本の載置ロッド段の両端と、対応する当該連接体とが相互に連結されて好適な回転牽制を保持することを特徴とする、請求項１に記載の机の物置棚。
【請求項６】
前記物置棚に含む前記少なくとも２つの連接体と前記複数本の載置ロッド段との連結は、中間部分に案内する前記複数本の載置ロッド段の両側に、位置決めピンにより貫通すると共に、対応する当該連接体の一端の前記複数条の凸部の案内により、前記複数本の載置ロッド段とそれと相隣接する前記少なくとも２つの連接体との間に的確な位置結合を保持することを特徴とする、請求項１に記載の机の物置棚。
【発明の詳細な説明】
【技術分野】
【０００１】
本発明は、机の物置棚に係り、主に、机の下向部位に対して可動収納重合状の物置棚を結合することを許容し、平時、机の展開に伴って連接体が水平となって物体収納が可能な状態となり、物体の収納として用い、または机の不使用時に折り畳みを行って同期に収納重合状とすることが可能となる。
【背景技術】
【０００２】
物体を配置するための既有の机は、好適な安定性を得るために、通常、固定形態を呈し、また机の下端にも所定の形態の物置棚を結合して物体の収納を容易にし、そしてこのように机の所定の範囲に結合する物置棚は、全体と合わせるために、属性としても固定形態を呈し、上記の机の使用について確かに実用的な機能を有するが、唯一な欠失は、不使用時に占める空間を減少させるための折畳収納を行うことができないことである。このため、室内空間が限られている人々は、折り畳み可能な形態の机を選択することを考慮しなければならない。しかし、後者のような机は、全体構造にその他の収容要素を結合することができないせいで、机板及び折り畳み形式の机脚しか設けられないので、使用者は、平時の応用に際して、もし物体を収納する必要がある場合、しばらく使っていない物体を机側の隅角に配置するか、または相隣接する机・椅子に移転するしか方法がなかった。後者のような机は、応用上、そのような不便が存在していた。
【発明の概要】
【発明が解決しようとする課題】
【０００３】
本発明者は、後者のような折り畳み可能な形式の机の使用について物体収納の応用を得ることを解決策とし、前記机の下向き部位に可動収納重合状の物置棚を結合することを許容し、平時、机の展開に伴って連接体が水平となって物体収納が可能な状態となって、物体の収納として用い、または机の不使用時に折り畳みを行って同期に収納重合状とすることが可能となる構造に想到した。
【０００４】
本発明は、折り畳み可能な形式の机の使用において兼ね備える下向部位での物体収納の応用に対する更なる改善に基づいて、机の底部の所定の範囲に沿って可動収納重合状の物置棚を結合するものが採用されており、前記物置棚は、机の水平架設状態または折り畳んだ状態に合わせて同期するように連接体が水平となって物体収納が可能な状態または、折り畳まれた状態となることにより、机は、応用上、物体収納を許容する形態を兼ね備えることができる。
【課題を解決するための手段】
【０００５】
本発明の主な目的は、折り畳み可能な形式の机の使用において兼ね備える下向部位での物体収納の応用には、机の下向部位に沿って可動形式の物置棚を結合するものが採用されており、前記物置棚は、少なくとも２つの固定枠と、複数本の懸吊ロッドと、少なくとも２つの連接体と、複数本の載置ロッド段とを含んで構成され、その中、２つの固定枠の下向き空間の両側には、懸吊ロッドの一端の装入を許容し、及び前記懸吊ロッドを対応部位に枢支状態にし、また懸吊ロッドの他端を２つの連接体の両側の所定の部位に合わせて当接すると共に、懸吊ロッドの下向端を前記連接体の対応部位に枢支状態にし、２つの連接体の対応側面に沿って等間隔または非等間隔に複数条の凸部が凸設されて、載置ロッド段の両端は、対応する当該連接体の凸部の案内を受けて位置規制を形成することを許容し、このように構成された前記物置棚は、机の底部の所定の範囲に合わせて位置規制を行い、机の水平架設状態または折り畳んだ状態に同期して連接体が水平となって物体収納が可能な状態または、折り畳まれた状態となることにより、机は、応用上、物体収納を許容する形態を兼ね備えることを容易にする、机の物置棚を提供することである。
【０００６】
本発明の第２の目的は、物置棚は、所定の部分に机の下向部位の所定の範囲での固定ロッドの収容のための凹部が凹設される２つの固定枠を含み、及び螺着部品により前記固定枠が机の対応部位の固定ロッドに規制される、机の物置棚を提供することである。
【０００７】
本発明の第３の目的は、物置棚に含む懸吊ロッドとそれと相隣接する固定枠との間の方位枢支は、ロッド段により固定枠と懸吊ロッドとの対応部位での孔を貫通し、突出延在する固定枠の他端のロッド段に規制部を留め付けることと合わせると、懸吊ロッドが固定枠の一端に枢支される、机の物置棚を提供することである。
【０００８】
本発明の第４の目的は、物置棚に含む懸吊ロッドとそれと相隣接する連接体との間の回転枢支は、螺着部品がパッキンの間の孔に案内されたことにより、前記パッキンが懸吊ロッドの対応部位の孔に適宜に密着装入され、その間に案内された螺着部品の一端が前記少なくとも２つの連接体の対応のねじ孔に螺入されると、懸吊ロッドと連接体とが枢支された形態を呈する、机の物置棚を提供することである。
【０００９】
本発明の第５の目的は、前記物置棚に含む２つの連接体の対応側面での複数条の凸部において、載置ロッド段に合わせて案内する周辺には、複数の凹凸縁面が設けられることにより、載置ロッド段の両端と、対応する連接体とが相互に連結されて好適な位置牽制を保持する、机の物置棚を提供することである。
【００１０】
本発明の第６の目的は、物置棚に含む２つの連接体と載置ロッド段との連結は、中間部分に案内する前記載置ロッド段の両側に、位置決めピンにより貫通すると共に、対応する連接体の一端の凸部の案内により、載置ロッド段とそれと相隣接する２つの連接体との間に的確な位置結合を保持することを特徴とする、机の物置棚を提供することである。
【図面の簡単な説明】
【００１１】
【図１】本発明の物置棚を構成する関連部材を示す分解図である。
【図１−１】図１の一部の部材の拡大詳細図である。
【図２】本発明の物置棚の関連部材の組み立て完了を示外観図である。
【図３】本発明の物置棚と机との結合前を示す分解図である。
【図４】本発明の物置棚と机との結合完了の水平状態を示す側面図である。
【図５】図４の物置棚の水平状態を示す拡大詳細図である。
【図６】本発明の物置棚と結合した机を傾斜状に折り畳んだ状態を示す側面図である。
【図７】図６の物置棚の傾斜状を示す拡大詳細図である。
【発明を実施するための形態】
【００１２】
本発明が設計する机１０の物置棚５（図４参照）は、折り畳み可能な形式の机１０の使用において兼ね備える下向部位での物体収納の応用には、机１０の下向部位に沿って可動形式の物置棚５を結合するものが採用されており、前記物置棚５は、少なくとも２つの固定枠１と、複数本の懸吊ロッド２と、少なくとも２つの連接体３と、複数本の載置ロッド段４とを含んで構成される（図１参照）。
【００１３】
その中、上記に言及した２つの固定枠１の下向き空間１１の両側には、懸吊ロッド２の一端の装入を許容し（図２参照）、及び前記懸吊ロッド２を対応方位に枢支状態にし、また懸吊ロッド２の他端を２つの連接体３の両側の所定の部位に合わせて当接すると共に、懸吊ロッド２の下向端を前記連接体３の対応部位に枢支状態にし、２つの連接体３の対応側面に沿って等間隔または非等間隔に複数条の凸部３１が凸設されて（図１、図１−１参照）、載置ロッド段４の両端は、対応する当該連接体３の凸部３１の案内を受けて位置規制を形成することを許容する（図２参照）。
【００１４】
前記に続いて、物置棚５は、所定の部分に机１０の下向部位の所定の範囲での固定ロッド２０の収容のための凹部１１（図３、図５参照）が凹設される２つの固定枠１を含み（図１参照）、及び螺着部品１２により前記固定枠１が机１０の対応部位の固定ロッド２０に規制される。なお、前記物置棚５に含む懸吊ロッド２とそれと相隣接する固定枠１との間の方位枢支は、ロッド段１３により固定枠１と懸吊ロッド２との対応部位での孔１４，２１を貫通し、突出延在する固定枠１の他端のロッド段１３に規制部１５を留め付けることと合わせると（図２参照）、懸吊ロッド２が固定枠１の一端に枢支される。
【００１５】
物置棚５に含む懸吊ロッド２とそれと相隣接する連接体３との間の回転枢支は、螺着部品２２がパッキン２３の間の孔に案内されたことにより（ここでのパッキンは、強靭材で成形されるものを選択）、前記パッキン２３が懸吊ロッド２の対応部位の孔２４に適宜に密着装入され、その間に案内された螺着部品２２の一端が連接体３の対応のねじ孔３２に螺入されると、懸吊ロッド２と連接体３とが枢支された形態を呈する。次に、前記２つの連接体３の対応側面での複数条の凸部３１に沿って、載置ロッド段４に合わせて案内する周辺には、複数の凹凸縁面が設けられることにより（図１−１参照）、載置ロッド段４の両端と、対応する連接体３とが相互に連結されて好適な位置牽制を保持する。それと一緒に、前記２つの連接体３と載置ロッド段４との連結は、中間部分に案内する前記載置ロッド段４の両側の所定の孔４２に、位置決めピン４１により貫通すると共に、対応する連接体３の一端の凸部３１の対応の孔３１１の案内により、載置ロッド段４とそれと相隣接する２つの連接体３との間に的確な位置結合を保持する。
【００１６】
上記のように構成された前記物置棚５は、机１０の底部の所定の範囲に合わせて位置規制を行い（図４参照）、机１０は水平架設状態を呈して、物体を下向端の物置棚５に収納することを容易にする。
【００１７】
あるいは、机１０の不使用時に、机１０を片側に向けて折り畳みを行い（図６参照）、この時、机１０の底部に組み立てられた前記物置棚５は、机１０の具設形態に従って同期に折り畳みを行うため（図７参照）、物置棚５は、平時、同期に連接体３が水平となって物体収納が可能な状態または、折り畳まれた状態となり、机１０は物体収納を許容する形態を兼ね備えることを容易にする。
【００１８】
それと同時に、上記の物置棚５（図２参照）は、外向け販売運搬の際、懸吊ロッド２により片側に向けて偏移することにより（即ち、連接体３と同一方向に変位することで連接体３の高さと略近しくなる）、物置棚５の全体占める空間を減少させて積付容積の段積みを容易にする。
【符号の説明】
【００１９】
１                                固定枠
１１                              凹部
１２，２２                        螺着部品
１３                              ロッド段
１４，２１，２４，４２，３１１    孔
１５                              規制部
２                                懸吊ロッド
２３                              パッキン
３                                連接体
３１                              凸部
３２                              ねじ孔
４                                載置ロッド段
４１                              位置決めピン
５                                物置棚
１０                              机
２０                              固定ロッド
【図１】
0006319363.tif 000002
【図１−１】
0006319363.tif 000003
【図２】
0006319363.tif 000004
【図３】
0006319363.tif 000005
【図４】
0006319363.tif 000006
【図５】
0006319363.tif 000007
【図６】
0006319363.tif 000008
【図７】
0006319363.tif 000009